(57)【要約】【課題】光源の無駄を軽減できるとともに、交換作業が容易なライン光照射装置を提供する。【解決手段】光源実装基板１０が基台７１に複数設置され、基台７１に固定部３２によって光源実装基板１０が固定され、固定部３２は、光源実装基板１０に給電しかつ光源実装基板１０を基台に押圧して固定する固定端子３３を有するので、ある光源ユニット６のある光源に不具合が生じた場合、当該光源ユニット６を取り出し、その不具合が生じている光源が実装されている光源実装基板１０を交換すればよく、他の正常な光源が実装されている光源実装基板１０は交換する必要がない。したがって、正常な光源を極力残すことができ、その結果、光源の無駄を軽減できるとともに、光源実装基板１０の固定が固定端子３３による押圧によって行われているので、容易に光源１６の交換を行うことができる。【選択図】図２
2014123438.tif 000002
【特許請求の範囲】
【請求項１】
光源が実装されている複数の光源実装基板と、複数の当該光源実装基板が列状に設置される基台とを備えたライン光照射装置であって、
前記基台に設けられて前記光源実装基板を固定する固定部を備え、
前記固定部は、前記光源実装基板に給電しかつ当該光源実装基板を前記基台に固定する固定端子を有することを特徴とするライン光照射装置。
【請求項２】
前記固定部は前記光源実装基板の両側にこれを挟んで一対設けられるとともに、複数の前記固定端子を有しており、
一方の固定部のそれぞれの前記固定端子によってそれぞれ複数の前記光源実装基板の一方の側部が前記基台に固定され、他方の固定部のそれぞれの前記固定端子によってそれぞれ複数の前記光源実装基板の他方の側部が前記基台に固定されていることを特徴とする請求項１に記載のライン光照射装置。
【請求項３】
前記固定部は、前記光源実装基板の側面に当接して当該光源実装基板の設置方向への移動を規制する規制部を有することを特徴とする請求項１または２に記載のライン光照射装置。
【請求項４】
前記固定部は、前記光源実装基板の上面縁部に当接または近接して、当該光源実装基板の浮き上がりを防止する浮上り防止部を有することを特徴とする請求項１〜３のいずれか１項に記載のライン光照射装置。
【請求項５】
前記固定部と前記基台のうちの一方に凸部が形成され、他方に前記凸部が係合する凹部が形成され、
前記固定部は前記基台に前記凹凸によって凹凸係合していることを特徴とする請求項１〜４のいずれか１項に記載のライン光照射装置。
【請求項６】
前記基台には、当該基台に設置された光源実装基板の設置方向と直交する方向への移動を規制する設置溝が形成されていることを特徴とする請求項１〜５のいずれか１項に記載のライン光照射装置。
【発明の詳細な説明】
【技術分野】
【０００１】
本発明は、複数のＬＥＤ等の光源を用い、ライン状の光を照射することができるライン光照射装置に関する。
【背景技術】
【０００２】
このようなライン光照射装置の一例として特許文献１に記載のものが知られている。このライン光照射装置は、左右一対の側板及び底板を有し頂板側に開口部を形成してなるケーシングと、底板上に位置づけられ、長尺基板に複数のＬＥＤ（光源）を長手方向に沿って列状に搭載してなる発光ユニットを備えている。
発光ユニットは、帯状のプリント配線基板の表面に、複数のＬＥＤを、光軸を一定方向に揃えて略直線状に１列に機械実装したものである。ＬＥＤは、連続して２００ｍＡ以上の電流を流すことが可能ないわゆるパワーＬＥＤと称されるもので、矩形板状をなすパッケージの中央にＬＥＤ素子を配設した表面実装型のものである。かかるＬＥＤは、例えば、ＬＥＤ素子が所定の間隔で略直線１列に並ぶように配置される。
【先行技術文献】
【特許文献】
【０００３】
【特許文献１】特開２００６−２７５７９０号公報
【発明の概要】
【発明が解決しようとする課題】
【０００４】
ところで、ＬＥＤ光源等の光源には使用寿命があるため、この光源を定期的に、あるいは設定使用時間毎に交換する必要がある。このため前記ライン光照射装置では、各ＬＥＤ光源が装置内部の基板に固設されているため、このＬＥＤ光源を交換するに際しては、装置を分解して基板を取出し、ＬＥＤ光源を１個ずつ交換するか、あるいは基板毎交換する必要があった。
しかしながら、ＬＥＤ光源を１個ずつ交換する場合、プリント配線基板からＬＥＤ素子を取り外すために、ＬＥＤ素子が設けられたパッケージとプリント配線基板とを接続している接続部を切断する必要があるばかりか、交換したＬＥＤ素子が設けられたパッケージとプリント配線基板とを再び接続する必要があり、非常に手間がかかる作業となる。
また、基板毎交換する場合、正常な光源があるにも拘らず基板毎交換する必要があり、光源に無駄が生じることになる。
【０００５】
本発明は、前記事情に鑑みてなされたもので、ある光源（ＬＥＤ光源）に寿命や故障により不具合が生じて光源実装基板の交換の必要が生じた場合に、光源の無駄を軽減できるとともに、交換作業が容易なライン光照射装置を提供することを目的とする。
【課題を解決するための手段】
【０００６】
前記目的を達成するために、本発明のライン光照射装置は、光源が実装されている複数の光源実装基板と、複数の当該光源実装基板が列状に設置される基台とを備えたライン光照射装置であって、
前記基台に設けられて前記光源実装基板を固定する固定部を備え、
前記固定部は、前記光源実装基板に給電しかつ当該光源実装基板を前記基台に固定する固定端子を有することを特徴とする。
【０００７】
本発明においては、ある光源に不具合が生じた場合、その不具合が生じている光源が実装されている光源実装基板のみを交換すればよく、他の正常な光源が実装されている光源実装基板は交換する必要がない。
したがって、正常な光源を極力残すことができ、その結果、光源の無駄を軽減できる。また、光源実装基板の固定を固定端子による押圧により行うようにすれば、容易に光源の交換を行うことができる。
【０００８】
また、本発明の前記構成において、前記固定部は前記光源実装基板の両側にこれを挟んで一対設けられるとともに、複数の前記固定端子を有しており、
一方の固定部のそれぞれの前記固定端子によってそれぞれ複数の前記光源実装基板の一方の側部が前記基台に固定され、他方の固定部のそれぞれの前記固定端子によってそれぞれ複数の前記光源実装基板の他方の側部が前記基台に固定されているのが好ましい。
【０００９】
このような構成によれば、一対の固定部の複数の固定端子によってそれぞれ複数の光源実装基板の両側部を基台に固定できるので、複数の光源実装基板を基台に確実に固定できる。
【００１０】
本発明の前記構成において、前記固定部は、前記光源実装基板の側面に当接して当該光源実装基板の設置方向への移動を規制する規制部を有するのが好ましい。
【００１１】
このような構成によれば、光源実装基板の側面に規制部が当接することによって、光源実装基板の設置方向における位置決めを行うことができる。
【００１２】
また、本発明の前記構成において、前記固定部と前記基台のうちの一方に凸部が形成され、他方に前記凸部が係合する凹部が形成され、
前記固定部は前記基台に前記凹凸によって凹凸係合しているのが好ましい。
【００１３】
このような構成によれば、固定部は基台に凹部と凸部によって凹凸係合しているので、固定部によって複数の光源実装基板を固定する際等に、固定部が光源実装基板と平行な面において回転するのを防止できる。したがって、固定部が回転して光源実装基板に当たって当該光源実装基板を傷付けたり基台から逸脱させるのを防止できる。
【００１４】
本発明の前記構成において、前記基台に設置された光源実装基板の設置方向と直交する方向への移動を規制する設置溝が形成されているのが好ましい。
【００１５】
このような構成によれば、設置溝によって光源実装基板の設置方向と直交する方向の位置決めを確実に行うことができる。
【発明の効果】
【００１６】
本発明によれば、ある光源に不具合が生じた場合、その不具合が生じている光源が実装されている光源実装基板のみを交換すればよく、他の正常な光源が実装されている光源実装基板は交換する必要がない。
したがって、正常な光源を極力残すことができ、その結果、光源の無駄を軽減できる。また、光源実装基板の固定を固定部により行うようにすれば、容易に光源の交換を行うことができる。
【図面の簡単な説明】
【００１７】
【図１】本発明の実施の形態に係るライン光照射装置を示すもので、（ａ）は斜視図、（ｂ）は分解斜視図である。
【図２】同、光源ユニットの斜視図である。
【図３】同、ヒートシンクに送風ファンを取り付けた状態を示す斜視図である。
【図４】同、ヒートシンクと固定部を示す斜視図である。
【図５Ａ】同、ヒートシンクの基台に設置された光源実装基板を一方の固定部で押さえた状態を示す斜視図である。
【図５Ｂ】同、固定部の要部を拡大して示す斜視図である。
【図６Ａ】同、ヒートシンクの基台に設置された光源実装基板を両固定部で押さえた状態を示す斜視図である。
【図６Ｂ】同、光源実装基板の配列状態を示す平面図である。
【図７】同、凹部を形成したヒートシンクの基台と凸部を形成した固定部とを示す要部の斜視図である。
【図８】同、光源ユニットを並設してなる光源ユニット集合体を示す斜視図である。
【図９Ａ】同、ライン光照射装置の横断面図である。
【図９Ｂ】同、他のライン光照射装置の横断面図である。
【図１０】同、レンズユニットを示すもので、レンズユニットにロッドレンズを取り付けた状態を裏側から示す斜視図である。
【図１１】同、レンズユニットを示すもので、レンズユニットに遮光板を取り付けた状態を裏側から示す斜視図である。
【図１２】同、他のレンズユニットをケーシングに取り付けた状態を示すロッドレンズ端部側の要部の断面図である。
【図１３】同、他のレンズユニットを示すもので、ロッドレンズの一端部側の要部の斜視図である。
【図１４】同、他のレンズユニットを示すもので、ロッドレンズの他端部側の要部の斜視図である。
【図１５】同、レンズユニットに光源ユニットを１個設置した状態を示す底面図である。
【図１６】同、レンズユニットに光源ユニットを６個設置した状態を示す斜視図である。
【発明を実施するための形態】
【００１８】
以下、本発明の実施の形態について図面を参照して説明する。
図１は、本発明の実施の形態に係るライン光照射装置を示すもので、図１（ａ）は斜視図、図１（ｂ）は分解斜視図である。
【００１９】
図１に示すように、ライン光照射装置１は、外装となるケーシング２と、このケーシング２に収容される光源ユニット集合体３と、ケーシング２に被せられるレンズユニット４とを備えている。
なお、本実施の形態のライン光照射装置１は紫外放射を照射するものであり、例えば、紫外放射により、光硬化性の樹脂を硬化させる際に使用されるものである。
【００２０】
ケーシング２は、金属で形成された略直方体形状をなすもので、前後に対向して平行離間して配置された断面Ｌ形の側部フレーム２１,２１と、当該側部フレーム２１,２１の両端部にそれぞれ取り付けられて、側部フレーム２１,２１を連結する端部フレーム２２,２３とによって構成されている。
なお、図１において、ケーシング２の長手方向を左右方向と称し、短手方向を前後方向と称する。
断面Ｌ形の側部フレーム２１の一方の片部はケーシング２の側板を構成し、他方の片部はケーシング２の底板を構成している。なお、ケーシング２の底には左右に長尺な矩形状の開口２ａが設けられている。この開口２ａには後述する送風ファン８の空気の取入口が面するようになっている。
【００２１】
端部フレーム２２は、側部フレーム２１,２１間の一方の端部開口を塞ぐとともに、内部に制御基板５が設けられるもので、前後に対向して平行離間して配置された断面Ｌ形の側板２２ａ,２２ａと当該側板２２ａ,２２ａどうし連結する端板２２ｂおよび底板（図示略）を有しており、側板２２ａの上端にレンズユニット４を受ける受面２２ｄが形成されている。なお、側板２２ａは側部フレーム２１より高くなっており、これによって受面２２ｄは側部フレーム２１より高い位置にある。
そして、側板２２ａ,２２ａが前記側部フレーム２１,２１の内面に当接されて固定されることによって、端部フレーム２２が側部フレーム２１,２１に固定されている。
【００２２】
端部フレーム２３は、側部フレーム２１,２１間の他方の端部開口を塞ぐもので、前後に対向して平行離間して配置された断面Ｌ形の側板２３ａ,２３ａと当該側板２３ａ,２３ａどうし連結する端板２３ｂおよび底板２３ｃを有しており、側板２３ａの上端にレンズユニット４を受ける受面２３ｄが形成されている。なお、側板２３ａは側部フレーム２１より高くなっており、これによって受面２３ｄは端部フレーム２２より高い位置にある。
そして、側板２３ａ,２３ａが前記側部フレーム２１,２１の内面に当接されて固定されることによって、端部フレーム２３が側部フレーム２１,２１に固定されている。
【００２３】
光源ユニット集合体３は、複数（例えば６個）の光源ユニット６が左右に列状に並設されて構成されたものである。
光源ユニット６は、図２および図３に示すように、ヒートシンク７と、このヒートシンク７の下面に設けられた送風ファン８と、ヒートシンク７の上面に設けられた複数（例えば５個）の光源実装基板１０とを備えている。
【００２４】
ヒートシンク７は金属製であり、矩形板状に形成された基台７１と、この基台７１の下面に形成された多数のフィン７２と、これら多数のフィン７２の下端部に設けられて、前記送風ファン８が当接される平板７３とを有している。
基台７１の上面には、図４に示すように、後述する設置溝３１が形成されている。また基台７１の長辺方向に沿う側面には後述する給電用のケーブルＫ１,Ｋ２を通すための凹状の切欠部（通し部）７１ｂ,７１ｂが離間して形成されている。さらに、基台７１の４つの角部のうち、１つの角部に面取部７１ｄが形成されている。
【００２５】
図２に示すように、前記多数のフィン７２は、その表面が基台７１の長辺方向に平行に、かつ基台７１の短辺方向に所定間隔で対向して配置されている。
前記平板７３は基台７１より薄い矩形板状に形成されており、基台７１に対してフィン７２を挟んで平行に配置されている。
平板７３の下面には、送風ファン８のケース８１が当接されている。また、平板７３の略中央部には送風ファン８からの空気をフィン７２に送り込むための円形の孔（図示略）が形成されている。
【００２６】
そして、これら平板７３および送風ファン８のケース８１は、前記多数のフィン７２を挟んで基台７１に取り付けられ、これら基台７１、フィン７２、平板７３およびケース８１が一体的に連結されている。
【００２７】
送風ファン８は、ヒートシンク７に送風するためのもので、前記ケース８１と、このケース８１内に設けられたモータ８２と、このモータ８２の駆動軸に取り付けられた複数のファン８３とを備えている。
また、送風ファン８は、光源ユニット６の並設方向（図２において基台７１の短辺方向）においても、光源ユニット６の並設方向と直交する方向（図２において基台７１の長辺方向）においても、平面視においてヒートシンク７の基台７１より内側に配置されている。
そして、このような送風ファン８は、その下面から外部の空気を取り込み、上面から、平板７３に形成された円形の孔（図示略）を通してフィン７２に向け空気を吹き出すようになっている。
この吹き出された空気は、フィン７２の表面を通って当該フィン７２の熱を吸収したうえで、ヒートシンク７の側面から吹き出すようになっている。なお、このフィン７２には基台７１から熱伝導するようになっている。
【００２８】
また、前記ヒートシンク７の対向する側部でかつ基台７１の裏側には、図２等に示すように、後述するケーブルＫ１を通す挿通部１５,１５がフィン７２の側方を避けて設けられている。この挿通部１５は前記平板７３に一体的に形成された断面略Ｌ形の板材によって構成されており、ヒートシンク７の側部から張り出すように、かつ送風ファン８の側面に対して対向離間して形成されている。
挿通部１５は、断面Ｌ形の板材の内側の空間（断面Ｌ形の板材と送風ファン８の側面との間の空間）にケーブルＫ１が挿通されるようになっている。また、挿通部１５は、ケーブルＫ１をその長手方向と交差する方向から当該挿通部１５に挿入するための挿入口１５ａを有している。また、挿通部１５の下端部には、前記断面Ｌ形の板材の先端縁部を内側に折曲してなる折曲片１５ｂが形成されており、この折曲片１５ｂは、挿通部１５に挿入されたケーブルＫ１の逸脱を防止する逸脱防止部１５ｂを構成している。
【００２９】
前記光源ユニット６の基台７１には、図２および図４〜図６Ｂに示すように、複数（例えば５個）の光源１６が左右方向（基台７１の短辺方向）に列状に実装されている光源実装基板１０が複数（例えば５個）左右方向に列状に並設されている。
なお、本実施の形態では、光源１６は、紫外ＬＥＤ光源であるが、これに限ることなく、赤外ＬＥＤ光源や可視光ＬＥＤ光源であってもよく、さらには、ＬＥＤ光源以外の光源であってもよい。
【００３０】
複数の光源実装基板１０は、位置決め固定手段（固定手段）３０によって、基台７１に光源実装基板１０の設置方向（基台７１の短辺方向）において所定間隔を空けて位置決め固定されている。
隣り合う光源実装基板１０,１０の間隔Ｘは、例えば０．５ｍｍ≦Ｘ≦２．０ｍｍに設定され、好ましくは０．８ｍｍ≦Ｘ≦１．５ｍｍ、さらに好ましくは０．９ｍｍ≦Ｘ≦１．１ｍｍに設定されている。
このように隣り合う光源実装基板１０,１０の間隔を設定することによって、光源実装基板１０,１０間に照度のムラが生じるのを防止できる。
また、基台７１に設置された複数の光源実装基板１０のうち、基台７１の側面側に位置する光源実装基板１０と基台７１の側面との間の間隔が、基台７１上で隣り合う光源実装基板１０,１０間の間隔の１／２になっている。
つまり、図６Ｂに示すように、基台７１上で隣り合う光源実装基板１０,１０間の間隔をＸとすると、基台７１の側面側に位置する光源実装基板１０と当該側面との間の間隔はＸ／２になっている。
また、位置決め固定手段３０は、前記光源実装基板１０をその設置方向と直交する方向（基台７１の長辺方向）においても位置決め固定している。
【００３１】
前記位置決め固定手段３０は、基台７１に形成された設置溝３１と、基台７１に設けられた固定部３２とによって構成されている。
設置溝３１は、図２および図４に示すように、基台７１の上面の長辺方向の中央部に、当該基台７１の短辺方向に沿って、基台７１の長辺方向に沿う一方の側面から他方の側面にかけて延在するようにして形成されている。この設置溝３１の溝幅は、光源実装基板１０の幅とほぼ等しいか若干大きめになっている。
したがって、この設置溝３１に光源実装基板１０を、その幅方向を設置溝３１の幅方向に向けて挿入して設置することによって、当該光源実装基板１０は、その設置方向と直交する方向（基台７１の長辺方向）への移動を規制されて位置決めされることになる。
また、設置溝３１の深さは光源実装基板１０の厚さより若干浅くなっており、これによって、設置溝３１に設置された光源実装基板１０の上面は基台７１の上面から若干突出している。
【００３２】
固定部３２は、設置溝３１に設置された光源実装基板１０に給電するとともに、当該光源実装基板１０を基台７１の短辺方向（設置溝３１の長手方向）に所定間隔で固定するものであり、設置溝３１を挟んで一対設けられている。
固定部３２は、固定端子３３と規制部３４と浮上り防止部３５とを備えている。固定端子３３は、光源実装基板１０に給電しかつ当該光源実装基板１０を設置溝３１の底面に押圧して固定するものであり、光源実装基板１０の並設方向に所定間隔で複数（例えば５個）設けられている。
【００３３】
つまり、固定端子３３は、光源実装基板１０と同個数設けられており、１つの固定端子３３によって、１つの光源実装基板１０の一方の縁部を上方から押圧する。固定端子３３は薄板状に形成されており、その先端縁部が光源実装基板１０に弾性的に接触することによって光源実装基板１０を押圧するとともに、当該光源実装基板１０に給電するようになっている。
前記光源実装基板１０が例えばセラミック基板等によって形成されている場合、光源実装基板１０をねじ止めや半田付け等によって基台７１に固定できないが、本実施の形態では、固定端子３３によって光源実装基板１０を固定しているので、当該光源実装基板１０を容易かつ確実に基台７１に固定できる。
【００３４】
また、固定部３２の上面には、中継基板１７が取り付けられており、この中継基板１７に固定端子３３が電気的に接続されている。中継基板１７には固定端子３３に給電するとともに制御信号を送信するためのケーブルＫ１が接続されている。
このケーブルＫ１は、フレキシブルフラットケーブル（ＦＦＣ）によって構成されている。また、中継基板１７には前記送風ファン８に給電するとともに制御信号を送信するケーブルＫ２も接続されている。このケーブルＫ２は送風ファン８から延びて、基台７１の切欠部７１ｂを通って基台７１の上面側に這わされたうえで、中継基板１７に接続されている。このケーブルＫ２は通常の線状のケーブルであるが、フレキシブルフラットケーブル（ＦＦＣ）を使用してもよい。
【００３５】
前記規制部３４は、光源実装基板１０の側面に当接して当該光源実装基板１０の前記設置溝３１の長手方向への移動を規制するもので、以下のように構成されている。
すなわちまず、固定部３２は、図４および図５Ｂ等に示すように、樹脂製の保持部材３２ａを有している。この保持部材３２ａは光源実装基板１０の設置方向に長尺な部材であり、当該保持部材３２ａに複数（例えば６個）の凸部３２ｂが保持部材３２ａの長手方向に所定間隔で形成されている。６個の凸部３２ｂのうち、左右両側に位置する凸部３２ｂ,３２ｂは中央側に位置する凸部３２ｂより幅狭に形成されており、さらに、左右両側に位置する凸部３２ｂ,３２ｂのうち、一方の凸部３２ｂは他方の凸部３２ｂより幅狭に形成されている。
【００３６】
そして、前記凸部３２ｂの先端部に、断面Ｌ形の突起３２ｃが凸部３２ｂと一体的に形成され、この突起３２ｃの一方の片（光源実装基板１０の上面と直交する片）が前記規制部３４を構成している。
１つの規制部３４は１つの光源実装基板１０の側面に当接して当該光源実装基板１０の設置溝３１の長手方向への移動を規制するものであるので、規制部３４は６個の凸部３２ｂのうち、５個の凸部３２ｂに形成され、一方の端部に位置する凸部３２ｂには形成されていない。当該凸部３２ｂには突起３２ｄが形成されているが、この突起３２ｄは規制部３４を構成するものではなく、設置溝３１の端部に設置された光源実装基板１０の逸脱を防止するものである。
【００３７】
前記浮上り防止部３５は、設置溝３１に設置された光源実装基板１０の上面縁部の端部に当接または近接して、当該光源実装基板１０の浮き上がりを防止するものであり、前記突起３２ｃの他方の片（光源実装基板１０の上面と平行な片）によって構成されている。
【００３８】
このような構成の固定部３２は、設置溝３１を挟んで一対対向して設けられているが、当該対向している固定部３２は、設置溝３１の中央部に対し点対称に配置されている。したがって、前記浮上り防止部３５は、１つの光源実装基板１０の上面の対角部分に配置されて、当該光源実装基板１０の浮き上がりを防止している。
また、一方の固定部３２の規制部３４は、光源実装基板１０の一方の側面に当接し、他方の固定部３２の規制部３４は、光源実装基板１０の、前記一方の側面に対向する他方の側面に当接して、当該光源実装基板１０の前記設置溝３１の長手方向への移動を規制するようになっている。
また、固定部３２の保持部材３２ａと中継基板１７との間に固定端子３３の基端部が介在しており、当該基端部が保持部材３２ａと中継基板１７とによって挟み付けられて保持されている。そして、この中継基板１７と前記各固定端子３３とが電気的に接続されている。
【００３９】
前記のような構成の一対の固定部３２,３２は、基台７１の上面に点対称となるようにして配置されたうえで基台７１にねじ等によって固定されている。なお、本例では、一対の固定部３２,３２を点対称に配置したが、これに限らず、回転対称やこれら以外の対称形に配置しても良い。
【００４０】
また、固定部３２および基台７１には、固定部３２を基台７１にねじによって固定する場合に、固定部３２がねじと供回りするのを防止するための手段が設けられている。
すなわち、図７に示すように、固定部３２の下面には、一対の凸部３７,３７が固定部３２の長手方向に離間して形成されている。凸部３７は略円柱状に形成されている。なお、図７においては、一方の固定部３２の上面に取り付けられる中継基板１７の図示を省略している。
【００４１】
一方、基台７１の上面には、図７および図４に示すように、一対の凹部３８ａ,３８ｂが形成されている。一方の凹部３８ａは円形状の孔であり、他方の凹部３８ｂは、設置溝３１の長手方向に長い長孔である。
そして、固定部３２は、その凸部３７,３７を基台７１の凹部３８ａ,３８ｂに係合させることによって、基台７１に凹凸係合している。
【００４２】
このように、固定部３２を基台７１に凹凸係合させることによって、固定部３２の一端部に挿通したねじを、当該固定部３２の他端部に挿通したねじを基台７１にねじ込む前に、当該基台７１にねじ込んだり、あるいは、固定部３２の一端部から一方のねじを外した状態において、他方のねじを固定部３２の他端部から緩めるめて外したりする場合に、固定部３２はねじと供回りしなくなる。したがって、固定部３２が高価な光源実装基板１０に衝突することがない。
【００４３】
一対の固定部３２,３２を基台７１に固定することによって複数の光源実装基板１０がそれぞれ固定されている。
すなわちまず、一方の固定部３２の規制部３４を光源実装基板１０の一方の側面に当接するようにして、当該固定部３２を配置したうえで、当該固定部３２をねじによって基台７１に固定する。
この際、光源実装基板１０は固定端子３３によって設置溝３１の底面に押圧されて固定されるとともに、規制部３４によって設置溝３１の長手方向の一方向への移動が規制される。
【００４４】
次に、図６に示すように、一方の固定部３２とは設置溝３１を挟んで逆側から他方の固定部３２を基台７１に固定する。
この場合、前記他方の固定部３２の規制部３４を光源実装基板１０の他方の側面に当接するようにして、当該固定部３２を配置したうえで、固定部３２をねじによって基台７１に固定する。
この際、光源実装基板１０は固定端子３３によって設置溝３１の底面に押圧されて固定されるとともに、規制部３４によって設置溝３１の長手方向の他方向への移動が規制される。
【００４５】
このようにして、基台７１の設置溝３１に配置された光源実装基板１０は、当該設置溝３１の長手方向に所定間隔で位置決めされるとともに、固定部３２,３２によって設置溝３１に固定される。この状態において、前記浮上り防止部３５は、光源実装基板１０の上面の対角部分に配置されて当該部分に当接または近接して、当該光源実装基板１０の浮き上がりを防止している。
また、位置決め固定された複数の光源実装基板１０のうち、両側の光源実装基板１０,１０は、基台７１の側面（長辺方向に沿う側面）より内側に間隔を空けて位置している。
【００４６】
前記のように構成された光源ユニット６は、図１（ｂ）に示すように、複数（例えば６個）左右に列状に並設されることによって、光源ユニット集合体３を構成し、当該光源ユニット集合体３がケーシング２に収容される。
複数の光源ユニット６をケーシング２に列状に並設する場合、図８に示すように、隣り合う光源ユニット６の基台７１の長辺方向に沿う側面を互いに当接した状態で並設する。
このようにして光源ユニット６を列状に並設することによって、隣り合う光源ユニット６,６のうち、一方の光源ユニット６の基台７１の側面側に位置する光源実装基板１０と、他方の光源ユニット６の基台７１の側面側に位置する光源実装基板１０とが所定の間隔で配置されている。
【００４７】
また、前記中継基板１７に接続されているケーブルＫ１は中継基板１７から延びて、基台７１の切欠部（通し部）７１ｂを通って基台７１の裏面側に這わされたうえで、前記挿通部１５を通って、前記制御基板５に接続されている。
制御基板５から最も遠い位置にある光源ユニット６の基台７１の中継基板１７に接続されているケーブルＫ１は、当該光源ユニット６の挿通部１５を通され、さらに、制御基板５から順次遠い位置にある光源ユニット６の挿通部１５を順次通されたうえで、制御基板５に接続されている。
【００４８】
同様に、制御基板５から順次に遠い位置にある光源ユニット６の基台７１の中継基板１７に接続されているケーブルＫ１は、当該光源ユニット６の挿通部１５を通され、さらに、制御基板５から次に順次遠い位置にある光源ユニット６の挿通部１５を順次通されたうえで、制御基板５に接続されている。
制御基板５は定電流用の基板であり、当該制御基板５には、複数のコネクタ５ａが列状に配置されており、各コネクタ５ａに前記各ケーブルＫ１が接続されている。制御基板５は定電流用の基板であるので、光源ユニット６に制御用の抵抗等を設ける必要がない。
また、図１（ｂ）に示すように、制御基板５が設けられている端部フレーム２２には、制御基板５に電気的に接続されたソケット５ｂが設けられており、このソケット５ｂに外部電源のケーブルが接続されるようになっている。
【００４９】
前記レンズユニット４は、図１（ｂ）および図９Ａ〜図１１に示すように、フレーム４０と、このフレーム４０に取り付けられた棒状の長尺なロッドレンズ４１とを備えている。なお、このロッドレンズ４１に代えて、半円柱形のシリンドリカルレンズや矩形板状のフレネルレンズを採用しても良い。
フレーム４０は、フレーム本体４２と、このフレーム本体４２の両端部にそれぞれ取り付けられた側板４３,４４とを備えている。
フレーム本体４２は、一対のフレーム部材４５,４５によって構成されており、当該フレーム部材４５,４５の両端部にそれぞれ前記側板４３,４４が取り付けられている。フレーム部材４５,４５は所定の間隔で配置されており、これによって、フレーム本体４２にはロッドレンズ４１の長手方向に沿い、かつフレーム４０をその表裏に貫通する貫通部４２ａが形成されている。
【００５０】
前記フレーム本体４２の貫通部４２ａには設置部４６が形成されている。この設置部４６は、図１１に示すように、前記フレーム部材４５,４５の、貫通部４２ａに沿う対向する縁部を内側（裏側）に折曲して形成されており、当該設置部４６の、貫通部４２ａを挟んで対向する設置面４６ａ,４６ａは内側（裏側）に向けて開くように形成されている。
この設置部４６の設置面４６ａ,４６ａに、フレーム本体４２の裏側からロッドレンズ４１が貫通部４２ａに臨むようにして設置されている。
【００５１】
このようにして設置部４６に設置されたロッドレンズ４１は、固定手段５０によって設置部４６に固定されている。
固定手段５０は図１１に示すように、ロッドレンズ４１の長手方向に所定間隔で複数（例えば３個）設けられている。固定手段５０は、図９および図１０に示すように、前記貫通部４２ａを挟んで対向して設けられた一対の固定金具５１,５１によって構成されている。この固定金具５１は、フレーム本体４２の裏面に固定される固定部５１ａと、この固定部５１ａから立ち上がり、ロッドレンズ４１の周面の一部を支持する支持部５１ｂとから構成されている。
固定金具５１,５１の固定部５１ａ,５１ａはねじ５２によってフレーム本体４２の裏面に前記貫通部４２ａを挟んで固定されており、この状態において支持部５１ｂ,５１ｂは前記貫通部４２ａの下方において貫通部４２ａ側に位置している。そして、当該支持部５１ｂ,５１ｂは、設置部４６に設置されているロッドレンズ４１の外周面の一部を弾性的に押圧しており、これによって、ロッドレンズ４１は設置部４６に押し付けられて当該設置部４６に固定されている。
【００５２】
また、前記フレーム本体４２の裏面には、図９Ａおよび図１１に示すように、遮光板５５,５５が貫通部４２ａを挟んで取り付けられている。
遮光板５５はロッドレンズ４１の長手方向に沿って長尺に形成されており、フレーム本体４２の裏面に固定される固定部５５ａと、この固定部５５ａから立ち上がり、ロッドレンズ４１と前記固定部３２との間に配置されて、固定部３２側への光（紫外放射）を遮光する遮光部５５ｂとから構成されている。
【００５３】
遮光板５５,５５の固定部５５ａ,５５ａはねじ５６によってフレーム本体４２の裏面に、前記貫通部４２ａを挟んで、かつ、固定金具５１,５１の固定部５１ａ,５１ａより外側に固定されており、この状態において、遮光部５５ｂ,５５ｂは固定金具５１,５１を覆うとともに、ロッドレンズ４１と固定部３２との間に配置されている。これによって、遮光板５５,５５は光源１６からの光（紫外放射）がロッドレンズ４１側以外へ照射されるのを遮光するようになっている。
【００５４】
図１２〜図１４に示すように、フレーム４０の側板４３,４４にそれぞれ遮光板挿入用凹所４７,４７が対向して形成され、当該遮光板挿入用凹所４７,４７の底面にそれぞれレンズ挿入用凹所４８,４８が対向して形成されている。
遮光板挿入用凹所４７,４７は、前記遮光板５５の端部が挿入されるものであり、略矩形状に形成されている。遮光板挿入用凹所４７,４７の底面間の距離は遮光板５５の長さより長くなっており、遮光板挿入用凹所４７,４７の開口縁間の距離は遮光板５５の長さより短くなっている。
したがって、一方の遮光板挿入用凹所４７に遮光板５５の一端部を挿入したうえで、当該遮光板５５を他方の遮光板挿入用凹所４７側に向けて移動させて、当該遮光板５５の他端部を他方の遮光板挿入用凹所４７に挿入することで、一対の遮光板挿入用凹所４７,４７に遮光板５５の端部がそれぞれ挿入されている。
【００５５】
レンズ挿入用凹所４８,４８は、前記ロッドレンズ４１の端部が挿入されるものであり、円形状に形成されている。レンズ挿入用凹所４８,４８の底面間の距離はロッドレンズ４１の長さより長くなっており、レンズ挿入用凹所４８,４８の開口縁間の距離はロッドレンズ４１の長さより短くなっている。
したがって、一方のレンズ挿入用凹所４８にロッドレンズ４１の一端部を挿入したうえで、当該ロッドレンズ４１を他方のレンズ挿入用凹所４７側に向けて移動させて、当該ロッドレンズ４１の他端部を他方のレンズ挿入用凹所４８に挿入することで、一対のレンズ挿入用凹所４８,４８にロッドレンズ４１の端部がそれぞれ挿入されている。
【００５６】
このように、フレーム４０にレンズ挿入用凹所４８,４８および遮光板挿入用凹所４７,４７を形成することによって、フレーム４０にその裏面側から直接ロッドレンズ４１を組み込むことができるので、ロッドレンズ４１の組込性が向上する。
同様に、遮光板５５の組込性が向上するとともに、遮光板５５の端部が遮光板挿入用凹所４７,４７に挿入されているので、ロッドレンズ４１の有効長さ（側板４３,４４間における長さ）において、遮光板５５,５５は光源１６からの光がロッドレンズ４１側以外へ照射されるのを確実に遮光できる。
【００５７】
また、ロッドレンズ４１を、図９Ｂに示すように、位置決めしたうえで固定してもよい。すなわちまず、前記レンズ挿入用凹所４８,４８に代えてレンズ挿入用凹所４９,４９が前記側板４３,４４に対向して形成されている。このレンズ挿入用凹所４９,４９は四角形状に形成されており、当該レンズ挿入用凹所４９,４９にロッドレンズ４１のフレーム４０の裏面側を向く部位が当接する当接部４９ａ,４９ａが設けられ、この当接部４９ａ,４９ａは固定手段として機能している。
そしてロッドレンズ４１は当接部４９ａ,４９ａおよび設置部４６に当接されることによって、フレーム４０の表裏方向の位置決めがなされている。
なお、図示例において、ロッドレンズ４１は、その長手方向に所定間隔で前記貫通部４２ａの一方側に設けられた固定金具５１によっても、外周面の一部が弾性的に押圧，固定されているが、この固定金具５１は省略しても良い。
【００５８】
このような構成によっても、ロッドレンズ４１が当接部４９ａ,４９ａおよび設置部４６に当接することによって、フレーム４０の表裏方向の位置決めがなされているので、ロッドレンズ４１と光源１６との間の距離が一定となり、光源１６から光を精度よく集光できる。
また、ロッドレンズ４１が前記当接部４９ａ,４９ａ間において、固定金具５１によって支持されているので、ロッドレンズ４１が光源１６側に向けて撓むのを防止できる。
【００５９】
また、前記フレーム本体４２の裏面には、図９Ａ〜図１１に示すように、前記光源ユニット６の基台７１が当接される当接面４２ｂ,４２ｂが平行離間して形成されており、この当接面４２ｂに複数のねじ孔が当接面４２ｂの長手方向に沿って所定間隔で形成されている。
【００６０】
前記のような構成のレンズユニット４は、図１および図９に示すように、ケーシング２に被され、当該ケーシング２の受面２２ｄ,２３ｄにレンズユニット４の下面の開口縁部の端部が設置されたうえで、ねじを受面２２ｄ,２３ｄのねじ孔にねじ込むことによって、ケーシング２に固定されている。
この状態において、図１に示すように、ケーシング２とレンズユニット４との間には、端部フレーム２２,２３間において左右に長尺な開口が形成され、この開口には空気を吹き出すヒートシンク７（フィン７２）の側面が面している。
【００６１】
前記構成のライン光照射装置１は例えば以下のようにして組み立てられる。
すなわちまず、前記レンズユニット４を組み立たてた後、当該レンズユニット４をその裏面開口を上に向けた状態で図示しない組立用台上に載置する。
【００６２】
次に、図１５に示すように、レンズユニット４内に、１個目の光源ユニット６を、送風ファン８を上側にした状態で、かつ基台７１の短辺をレンズユニット４の長手方向に向けて挿入して、基台７１をレンズユニット４の当接面４２ｂに載置するとともに、当該基台７１の側面を側板４３に当接する。また、光源ユニット６の基台７１の角部に形成されている面取部７１ｄを、図１（ｂ）に示すように、側板４３側に向けるようにして、当該光源ユニット６をレンズユニット４内に挿入する。さらに、光源ユニット６に接続されているケーブルＫ１を挿通部１５に挿通したうえで、側板４３側に引き出す。
【００６３】
次に、図１６に示すように、レンズユニット４内に、２〜６個目の光源ユニット６を送風ファン８を上側にした状態で、かつ基台７１の短辺をレンズユニット４の長手方向に向けて順次挿入して行き、それぞれの光源ユニット６の基台７１をレンズユニット４の当接面４２ｂに載置するとともに、先に挿入した光源ユニット６の基台７１の側面に、後に挿入した光源ユニット６の基台７１の側面を当接する。また、各光源ユニット６の基台７１の角部に形成されている面取部７１ｄを、図１（ｂ）に示すように、側板４３側に向けるように、かつ光源ユニット６の並設方向に１列に並ぶようにして、当該光源ユニット６をレンズユニット４内に挿入する。さらに、光源ユニット６に接続されているケーブルＫ１を当該光源ユニット６の挿通部１５に挿通するとともに、先に挿入した光源ユニット６の挿通部１５に挿通したうえで、側板４３側に引き出す。
【００６４】
ケーブルＫ１を各光源ユニット６の挿通部１５に挿通する場合、ケーブルＫ１をその長手方向と交差する方向から挿入口１５ａを通して、挿通する。これによって、各ケーブルＫ１を各光源ユニット６の挿通部１５に容易に挿通することができる。
挿通部１５に挿通されているケーブルＫ１は、側板４３に近い方から順に本数が減っていく。つまり、側板４３に最も近い挿通部１５には６本のケーブルＫ１が挿通され、最も遠い挿通部１５には１本のケーブルＫ１が挿通される。複数のケーブルＫ１が挿通された挿通部１５においては、複数のケーブルＫ１が図８および図１（ｂ）において上下に重なった状態で挿通される。
また、ケーブルＫ１は、図２に示すように、各光源ユニット６の光源実装基板１０側から基台７１に形成されている切欠部７１ｂを通して基台７１の裏面側に這わされたうえで、挿通部１５に挿通される。
【００６５】
このようにして、レンズユニット４に複数（例えば６個）の光源ユニット６を挿入して収容した後、基台７１の対角部に形成されている貫通孔７１ｃにボルト５８を挿通して、レンズユニット４の当接面４２ｂ,４２ｂに形成されているねじ孔にねじ込むことによって全ての光源ユニット６をレンズユニット４に固定する。
【００６６】
次に、光源ユニット６が固定されたレンズユニット４にケーシング２を取り付ける。この場合、６個の光源ユニット６からなる光源ユニット集合体３をケーシング２内に挿入するとともに、当該ケーシング２の受面２２ｄ,２３ｄにレンズユニット４の下面の開口縁部の左右両端部を設置したうえで、ねじを受面２２ｄ,２３ｄにねじ込むことによって、ケーシング２に固定する。
また、図１（ｂ）に示すように、前記ケーブルＫ１を端部フレーム２２内に設けられている制御基板５まで這わせたうえで、当該制御基板５に設けられたコネクタ５ａに接続する。
ケーブルＫ１を制御基板５のコネクタ５ａに接続する場合、例えば、制御基板５が設けられている端部フレーム２２を側部フレーム２１,２１から取り外しておき、ケーブルＫ１を側部フレーム２１,２１の端部間から引き出したうえで、当該ケーブルＫ１をコネクタ５ａに接続し、その後、端部フレーム２２を側部フレーム２１に取り付ければよい。
【００６７】
以上本実施の形態によれば、ある光源ユニット６のある光源１６に不具合が生じた場合、当該光源ユニット６を取り出し、その不具合が生じている光源１６が実装されている光源実装基板１０のみを交換すればよく、他の正常な光源１６が実装されている光源実装基板１０は交換する必要がない。
したがって、正常な光源１６を極力残すことができ、その結果、光源１６の無駄を軽減できるとともに、光源実装基板１０の固定が固定端子３３による押圧によって行われているので、容易に光源１６の交換を行うことができる。
【００６８】
また、ヒートシンク７の基台７１に、複数の光源実装基板１０が所定間隔で位置決め固定されているので、光源実装基板１０の並設端部、つまり基台７１の上面の側部に寸法誤差が累積してしまうことがない。したがって、隣り合う光源ユニット６,６間における光源実装基板１０,１０間の距離が所定値より大きくなったり、小さくなったりすることがなく、所定値の公差内に収まるので、隣り合う光源ユニット６,６間において照度ムラが生じるのを防止できる。
【００６９】
さらに、基台７１に設置された複数の光源実装基板１０のうち、両側の光源実装基板１０は基台７１の側面より内側に間隔を空けて位置しており、複数の光源ユニット６がその基台７１の側面を互いに当接した状態で並設されることによって、隣り合う光源ユニット６,６のうち、一方の光源ユニット６の基台７１の側面側に位置する光源実装基板１０と、他方の光源ユニット６の基台７１の側面側に位置する光源実装基板１０とが所定の間隔で配置されているので、光源ユニット６,６間において照度ムラが生じるのを容易かつ確実に防止できる。
加えて、基台７１に設置された複数の光源実装基板１０のうち、基台７１の側面側に位置する光源実装基板１０と当該側面との間の間隔が、基台７１上で隣り合う光源実装基板１０,１０間の間隔の１／２になっているので、隣り合う基台７１,７１の対向する側面側に位置する光源実装基板１０,１０間の距離が基台７１上で隣り合う光源実装基板１０,１０間の間隔と等しくなる。したがって、複数の光源ユニット６を有するライン光照射装置において、隣り合う光実装基板１０,１０間において照度ムラが生じるのを防止してより均一に光を照射できる。
【００７０】
また、複数の光源実装基板１０を位置決め固定する位置決め固定手段３０が、基台７１に形成された設置溝３１と、この設置溝３１に設置された光源実装基板１０に給電するとともに、光源実装基板１０を所定間隔で固定する固定部３２とを備え、この固定部３２が固定端子３３と規制部３４とを有している。
したがって、設置溝３１によって、光源実装基板１０の設置方向と直交する方向の位置決めを行うことができ、さらに、この光源実装基板１０の側面に規制部３４が当接することによって、光源実装基板１０の設置溝３１の長手方向の位置決めを行うことができる。
加えて、光源実装基板１０を固定端子３３によって設置溝３１の底面に押圧して固定することによって、位置決めされた光源実装基板１０を固定できるとともに、この光源実装基板１０に給電できる。
【００７１】
また、固定部３２は、光源実装基板１０の上面縁部に当接または近接して、当該光源実装基板１０の浮き上がりを防止する浮上り防止部３５を有しているので、光源実装基板１０の浮き上がりを防止できる。したがって、固定端子３３の一部が組立て中等において破損した場合でも、高価な光源実装基板１０が基台７１から逸脱して損傷、破損するのを防止できる。
【００７２】
また、固定部３２に２つの凸部３７が形成され、この凸部３７が係合する２つの凹部３８ａ,３８ｂが基台７１に形成され、固定部３２は基台７１に凹部３８ａ,３８ｂと凸部３７によって凹凸係合しているので、固定部３２によって複数の光源実装基板１０を固定する際等に、固定部３２が光源実装基板１０と平行な面においてねじとともに回転する（供回りする）のを防止できる。したがって、固定部３２が回転して光源実装基板１０に当たって当該光源実装基板１０を傷付けたり基台７１から逸脱させるのを防止できる。
【００７３】
また、送風ファン８の側部に、ケーブルＫ１を通す挿通部１５,１５が設けられており、ケーブルＫ１は、光源実装基板１０側から基台７１の切欠部７１ｂを通って基台７１の裏面側に這わされたうえで、挿通部１５を通って制御基板５に接続されているので、当該ケーブルＫ１を光源実装基板１０上に這わす必要がない。光源実装基板１０上は、光源１６によって比較的高温になるので、この光源実装基板１０上にケーブルＫ１を這わすと温度による許容電流値の低減が生じるおそれがあるが、本実施の形態では、ケーブルＫ１を挿通部１５を通すようにしているので、温度による許容電流値の低減を抑えることができる。
【００７４】
さらに、複数の光源ユニット６の挿通部１５は光源ユニット６の並設方向に連続し、これら挿通部１５にケーブルＫ１を通しており、さらに、ケーブルＫ１は薄いフレキシブルフラットケーブル（ＦＦＣ）によって構成されているので、複数のケーブルＫ１を容易にまとめて制御基板５に接続できる。また、光源ユニット６の個数が増えた場合でもケーブルＫ１の這回し処理が容易である。
加えて、複数の光源ユニット６がケーシング２に列状に並設して収容されているので、光源実装基板１０に接続されているケーブルＫ１を隣り合う光源ユニット６,６に形成された切欠部７１ｂ,７１ｂ間を通して基台７１の裏面側に這わせることができるので、ケーブルＫ１の這回し処理がさらに行い易くなる。
また、フィン７２の側方を避けた位置に設けられた挿通部１５をケーブルＫ１が通っているので、フィン７２から吹き出す空気の流れをケーブルＫ１によって阻害することがない。
【００７５】
また、挿通部１５は、ケーブルＫ１をその長手方向と交差する方向から挿通部１５に挿入するための挿入口１５ａを有するので、基台７１の裏面側に這わされたケーブルＫ１を容易に挿入口１５ａから挿入して挿通部１５に挿通できる。
また、挿通部１５は当該挿通部１５に挿入されたケーブルＫ１の逸脱を防止する逸脱防止部１５ｂを有するので、挿通部１５に挿通されたケーブルＫ１の逸脱（例えば、ケーブルＫ１の浮き上がりや垂れ下がりなど）を防止できる。したがって、ライン光照射装置１の組み立て中にケーブルＫ１が逸脱して邪魔になることもない。
【００７６】
また、ヒートシンク７に固定部３２が設けられ、この固定部３２に複数の光源実装基板１０と接続された中継基板１７が設けられており、この中継基板１７にケーブルＫ１が接続されているので、ケーブルＫ１を直接複数の光源実装基板１０と接続する必要がない。したがって、ケーブルＫ１と光源実装基板１０との接続が容易となり、制御基板５からケーブルＫ１、中継基板１７を介して複数の光源実装基板１０に容易かつ確実に給電できる。
また、送風ファン８に給電するケーブルＫ２が中継基板１７に接続されているので、制御基板５からケーブルＫ１、中継基板１７、ケーブルＫ２を介して送風ファン８に給電できるとともに制御信号を送信できる。よって、送風ファン８に接続するケーブルＫ２を直接制御基板５に這い回す必要がないので、ケーブル体積を減らすことができる。
【００７７】
また、送風ファン８は、平面視において、ヒートシンク７の基台７１より内側に配置されているので、複数の光源ユニット６を並設する場合に、隣り合う基台７１,７１を当接させても、送風ファン８,８どうしが当たることがない。したがって、複数の光源ユニット６を容易に並設できるとともに、隣り合う送風ファン８,８間には所定の隙間が生じるので、送風ファン８に空気が吸い込まれ難くなることなく一定量以上の空気をフィン７２側に供給できる。
【００７８】
また、レンズユニット４のフレーム４０にロッドレンズ４１の長手方向に沿う貫通部４２ａが形成されるとともに、この貫通部４２ａにロッドレンズ４１が設置される設置部４６がフレーム４０の裏面側に形成され、ロッドレンズ４１は貫通部４２ａに臨むようにして設置部４６にフレーム４０の裏面側から設置されたうえで、固定手段５０によって設置部４６に固定されている。
したがって、ロッドレンズ４１をフレーム４０にその裏側から容易に組み込むことができるので、予めフレーム４０を組み立てておき、このフレーム４０に長尺な棒状のロッドレンズ４１を組み込むことができ、よってレンズユニット４を容易に組み立てることができる。
さらに、フレーム４０に一対のレンズ挿入用凹所４８,４８が対向して設けられ、一方のレンズ挿入用凹所４８にロッドレンズ４１の一端部を挿入したうえで、当該ロッドレンズ４１を他方のレンズ挿入用凹所４８側に向けて移動させて、当該ロッドレンズ４１の他端部を他方のレンズ挿入用凹所４８に挿入することで、一対のレンズ挿入用凹所４８,４８にロッドレンズ４１の端部がそれぞれ挿入されているので、フレーム４０に長尺なロッドレンズ４１をさらに容易に組み込むことができる。
【００７９】
また、フレーム４０には、遮光板５５が取り付けられている。したがって、光源１６からの光（本実施の形態では紫外放射）がロッドレンズ４１側以外へ照射されるのを遮光板５５によって阻止できるので、当該光がロッドレンズ４１側以外の部材（例えば固定部３２の樹脂部分や中継基板１７）に照射されることがなく、これに起因する不具合を防止できる。
また、フレーム４０に一対の遮光板挿入用凹所４７,４７が対向して設けられ、一方の遮光板挿入用凹所４７に遮光板５５の一端部を挿入したうえで、当該遮光板５５を他方の遮光板挿入用凹所４７側に向けて移動させて、当該遮光板５５の他端部を他方の遮光板挿入用凹所４７に挿入することで、一対の遮光板挿入用凹所４７,４７に遮光板５５の端部がそれぞれ挿入されているので、フレーム４０内に位置するロッドレンズ４１の端部を遮光板５５によって確実に覆うことができる。したがって、ロッドレンズ４１の有効長さにおいて、遮光板５５,５５によって、光源１６からの光がロッドレンズ４１側以外へ照射されるのを確実に阻止できる。
【００８０】
なお、本実施の形態では、図１（ｂ）に示すように、端部フレーム２２の制御基板５をケーシング２の長手方向と平行に配置したが、当該長手方向に対して直角に設けてもよい。この場合、制御基板５に設けられているコネクタ５ａが光源ユニット６側を向くように配置する。これによって、コネクタ５ａはケーブルＫ１の重なり方向において列状に並ぶので、ケーブルＫ１をコネクタ５ａに容易に接続できるという利点がある。
【００８１】
また、本実施の形態では、本発明を、複数の光源１６が列状に実装されている光源実装基板１０が基台７１に複数設置されてなる光源ユニット６を複数有するライン光照射装置１に適用した場合を例にとって説明したが、本発明はこれに限ることなく、１個または複数の光源が実装されている光源実装基板が基台に１個または複数設置されているライン光照射装置に適用してもよい。つまり、複数の光源ユニット６を備えていない通常のライン光照射装置に適用してもよい。
【符号の説明】
【００８２】
１    ライン光照射装置
２    ケーシング
４    レンズユニット
５    制御基板
６    光源ユニット
７    ヒートシンク
８    送風ファン
１０  光源実装基板
１５  挿通部
１５ａ  挿入口
１５ｂ  逸脱防止部
１６  光源
１７  中継基板
３０  位置決め固定手段（光源実装基板固定手段）
３１  設置溝
３２  固定部
３３  固定端子
３４  規制部
３５  浮上り防止部
３７  凸部
３８  凹部
４０  フレーム
４１  ロッドレンズ（レンズ）
４２  フレーム本体
４２ａ  貫通部
４６  設置部
４７  遮光板挿入用凹所
４８  レンズ挿入用凹所
４９ａ  当接部
５０  固定手段（レンズ固定手段）
５５  遮光板
７１  基台
７１ｂ  切欠部（通し部）
Ｋ１，Ｋ２  ケーブル 
【図１】
2014123438.tif 000003
【図２】
2014123438.tif 000004
【図３】
2014123438.tif 000005
【図４】
2014123438.tif 000006
【図５Ａ】
2014123438.tif 000007
【図５Ｂ】
2014123438.tif 000008
【図６Ａ】
2014123438.tif 000009
【図６Ｂ】
2014123438.tif 000010
【図７】
2014123438.tif 000011
【図８】
2014123438.tif 000012
【図９Ａ】
2014123438.tif 000013
【図９Ｂ】
2014123438.tif 000014
【図１０】
2014123438.tif 000015
【図１１】
2014123438.tif 000016
【図１２】
2014123438.tif 000017
【図１３】
2014123438.tif 000018
【図１４】
2014123438.tif 000019
【図１５】
2014123438.tif 000020
【図１６】
2014123438.tif 000021